(57)【要約】【課題】使用されるべきデジタル素材がもれなく使用されたか否かを把握することを可能とするデジタル素材管理方法及びシステム並びにワークフロー管理システムを提供する。【解決手段】印刷物やホームページなどのデジタル素材を用いた製作物の作成、編集において、デジタル素材管理システムに管理されている掲載すべき素材がすべて配置、使用されているか自動的に確認する。例えば、自動組版や手動編集による素材レイアウトの後に、使用されるべき素材と実際に使用されているオブジェクトを照合し、その照合結果を一覧形式で表示する。この表示により原稿作成担当者や校正担当者はデジタル素材の使用の有無をひと目で把握することができ、大変便利である。【選択図】  図１
2010157069.tif 000002
【特許請求の範囲】
【請求項１】
デジタル素材が用いられる製作物を製作する際に、使用されるべきデジタル素材と前記製作物に実際に使用されているデジタル素材とを自動的に照合する照合工程を含むことを特徴とするデジタル素材管理方法。
【請求項２】
請求項１に記載のデジタル素材管理方法において、
前記製作物の原稿を入稿する入稿工程と、
前記照合工程の後に、前記照合された製作物にプレフライト処理を施すプレフライト処理工程と、
を含むことを特徴とするデジタル素材管理方法。
【請求項３】
請求項１又は２に記載のデジタル素材管理方法において、
複数のデジタル素材の中から前記使用されるべきデジタル素材を選択する選択工程を含むことを特徴とするデジタル素材管理方法。
【請求項４】
請求項３に記載のデジタル素材管理方法において、
前記照合工程は、使用されるべきデジタル素材がすべて使用されたか否かを照合し、
使用されるべきデジタル素材がすべて使用されていない場合には、前記選択工程において未使用のデジタル素材を選択することを特徴とするデジタル素材管理方法。
【請求項５】
請求項３又は４に記載のデジタル素材管理方法において、
前記選択工程は、使用するデジタル素材をチェックアウトすることにより当該デジタル素材を選択したとみなすことを特徴とするデジタル素材管理方法。
【請求項６】
請求項３乃至５のいずれか１項に記載のデジタル素材管理方法において、
前記選択工程により選択されたデジタル素材を予め登録しておく登録工程を含むことを特徴とするデジタル素材管理方法
【請求項７】
請求項６に記載のデジタル素材管理方法において、
前記登録工程は、前記製作物の製作を依頼した依頼元及び前記デジタル素材の製作元の少なくともいずれか一方により登録されることを特徴とするデジタル素材管理方法
【請求項８】
請求項１乃至７のいずれか１項に記載のデジタル素材管理方法において、
前記照合工程の結果を表示する表示工程を含むことを特徴とするデジタル素材管理方法。
【請求項９】
請求項１乃至８のいずれか１項に記載のデジタル素材管理方法において、
前記製作物は、印刷物及びウエブブラウザ機能により閲覧可能なウエブコンテンツの少なくともいずれか一方を含む特徴とするデジタル素材管理方法。
【請求項１０】
請求項１乃至９のいずれか１項に記載のデジタル素材管理方法において、
前記デジタル素材は、画像を含むとともに前記画像に関連付けされる情報を含むことを特徴とするデジタル素材管理方法。
【請求項１１】
請求項１０に記載のデジタル素材管理方法において、
前記画像は、商品画像を含むことを特徴とするデジタル素材管理方法。
【請求項１２】
請求項１０又は１１に記載のデジタル素材管理方法において、
前記情報は、少なくとも商品名、品番、価格のいずれかを含む商品情報であることを特徴とするデジタル素材管理方法。
【請求項１３】
請求項１乃至１２のいずれか１項に記載のデジタル素材管理方法において、
前記製作物を校正する校正工程を含み、
前記照合工程は、前記校正工程の後に行われることを特徴とするデジタル素材管理方法
【請求項１４】
請求項１３に記載のデジタル素材管理方法において、
前記校正工程は、前記プレフライト処理工程の後に前記製作物を校正することを特徴とするデジタル素材管理方法
【請求項１５】
請求項１乃至１４のいずれか１項に記載のデジタル素材管理方法において、
前記照合工程による照合結果を一覧表形式により表示する表示工程を含むことを特徴とするデジタル素材管理方法。
【請求項１６】
請求項１５に記載のデジタル素材管理方法において、
前記製作物は複数のページを含み、
前記表示工程は、ページごとに照合結果を表示することを特徴とするデジタル素材管理方法。
【請求項１７】
請求項１５又は１６に記載のデジタル素材管理方法において、
前記表示手段は、前記照合工程により照合された使用されるべきデジタル素材と前記製作物に実際に使用されているデジタル素材との一致あるいは不一致を表示することを特徴とするデジタル素材管理方法。
【請求項１８】
デジタル素材が用いられる製作物を製作する際に、使用されるべきデジタル素材と前記製作物に実際に使用されているデジタル素材とを自動的に照合する照合手段を含むことを特徴とするデジタル素材管理システム。
【請求項１９】
サーバ装置と、
ネットワークを介して前記サーバ装置と接続される端末装置と、
を含み、
前記端末装置は、デジタル素材が用いられる製作物を製作する際に、使用されるべきデジタル素材と前記製作物に実際に使用されているデジタル素材とを自動的に照合する照合手段を具備することを特徴とするワークフロー管理システム。
【請求項２０】
請求項１９に記載のワークフロー管理システムにおいて、
前記端末装置に接続され、前記端末装置から送出される指令に応じて印刷を行う印刷装置を備えることを特徴とするワークフロー管理システム。
【発明の詳細な説明】
【技術分野】
【０００１】
本発明は、デジタル素材管理方法及びデジタル素材管理システム並びにワークフロー管理システムに係り、特に、カタログや広告などの印刷物やホームページ等に使用されるデジタル素材の管理技術に関する。
【背景技術】
【０００２】
広告、カタログなどの印刷物や、Ｗｅｂブラウザ上で閲覧することができるホームページを作成する際に、デジタル素材（例えば、製品画像や製品に関する情報）が用いられる。このデジタル素材はＤＡＭ（デジタル素材管理システム）により管理され、デザイナー、広告代理店、クライアント、印刷会社の間において、デジタル素材を共有するシステムが提案されている。
【０００３】
例えば、特許文献１には、デザイン部門と製版部門とで別々のデータベースを所有するワークフロー管理システムにおいて、両者の間で同一のＩＤ（識別子）を用いて画像部品データを管理し、常に統一されたコード体系で画像部品を取り扱うシステムが記載されている。
【特許文献１】特開平９−９０５９９号公報
【発明の開示】
【発明が解決しようとする課題】
【０００４】
しかしながら、特許文献１に記載のワークフロー管理方法では、デザイン部門のデータベースと製版部門のデータベースとの間で連携して画像部品の共通管理が可能であるものの、指定された画像部品が対象の印刷物等に使用されたか否かを検査することができないという問題が存在している。
【０００５】
本発明はこのような事情に鑑みてなされたもので、使用されるべきデジタル素材がもれなく使用されたか否かを把握することを可能とするデジタル素材管理方法及びシステム並びにワークフロー管理システムを提供することを目的とする。
【課題を解決するための手段】
【０００６】
前記目的を達成するために、本発明に係るデジタル素材管理方法は、デジタル素材が用いられる製作物を製作する際に、使用されるべきデジタル素材と前記製作物に実際に使用されているデジタル素材とを自動的に照合する照合工程を含むことを特徴とする。
【０００７】
本発明によれば、デジタル素材を用いて製作される製作物に、使用されるべきデジタル素材がもれなく配置、使用されているか否かを自動的に確認し、その結果を表示するので、当該製作物に使用するべきデジタル素材が使用されたことを自動的に確認することができ、効率化及び省力化を図ることが可能となる。
【０００８】
「デジタル素材」とは、製作物において画像、文字、記号等で認識されるオブジェクトを含み、ファイル名、コードなどの識別情報が付与されたものである。
【０００９】
本発明の一態様に係るデジタル素材管理方法は、前記製作物の原稿を入稿する入稿工程と、前記照合工程の後に、前記照合された製作物にプレフライト処理を施すプレフライト処理工程と、を含むことを特徴とする。
【００１０】
かかる態様における入稿工程は入稿端末装置を介して行われる態様が好ましい。また、プレフライト工程は管理端末を介して行われる態様が好ましい。
【００１１】
本発明に係るデジタル素材管理方法は、複数のデジタル素材の中から前記使用されるべきデジタル素材を選択する選択工程を含む態様が好ましい。また、前記照合工程は、使用されるべきデジタル素材がすべて使用されたか否かを照合し、使用されるべきデジタル素材がすべて使用されていない場合には、前記選択工程において未使用のデジタル素材を選択する態様が好ましい。
【００１２】
本発明の他の態様に係るデジタル素材管理方法は、前記選択工程は、使用するデジタル素材をチェックアウトすることにより当該デジタル素材を選択したとみなすことを特徴とする。
【００１３】
かかる態様における「チェックアウト」とは、デジタル素材が選択されたときに選択されたことを示すフラグを立て、該デジタル素材が使用されている製作物の情報を該デジタル素材と関連付けしておく処理を含む概念である。
【００１４】
本発明のさらに他の態様に係るデジタル素材管理方法は、前記選択工程により選択されたデジタル素材を予め登録しておく登録工程を含むことを特徴とする。
【００１５】
前記登録工程は、前記製作物の製作を依頼した依頼元及び前記デジタル素材の製作元の少なくともいずれか一方により登録される態様や、前記照合工程の結果を表示する表示工程を含む態様が好ましい。
【００１６】
本発明に係るデジタル素材が用いられる製作物には、印刷物及びウエブブラウザ機能により閲覧可能なウエブコンテンツの少なくともいずれか一方が含まれる。また、印刷物には広告やカタログなどの書籍印刷物が含まれる。
【００１７】
本発明の一態様に係るデジタル素材管理方法は、前記デジタル素材は、画像を含むとともに前記画像に関連付けされる情報を含むことを特徴とする。
【００１８】
かかる態様によれば、デジタル素材として、画像とともに画像と関連付けされる情報が一括管理されるので、当該製作物の完成度を高めることが可能となる。
【００１９】
前記画像は商品画像を含む態様が好ましく、また、前記情報は少なくとも商品名、品番、価格のいずれかを含む商品情報である態様が好ましい。
【００２０】
本発明の他の態様に係るデジタル素材管理方法は、前記プレフライト処理工程の後に前記製作物を校正する校正工程を含む態様が好ましい。
【００２１】
校正工程とは、最終的に製作物の製作を開始する前に、原稿（又は、シミュレーション）により仕上がり状態を確認し、修正箇所を発見するとともに修正の指示を行う工程である。
【００２２】
前記照合工程による照合結果を一覧表形式により表示する表示工程を含む態様が好ましい。また、前記製作物は複数のページを含み、前記表示工程は、ページごとに照合結果を表示する態様が好ましい。さらに、前記表示手段は、前記照合工程により照合された使用されるべきデジタル素材と前記製作物に実際に使用されているデジタル素材との一致あるいは不一致を表示する態様が好ましい。
【００２３】
また、上記方法発明を具現化するシステムを提供する。すなわち、本発明に係るデジタル素材管理システムは、デジタル素材が用いられる製作物を製作する際に、使用されるべきデジタル素材と前記製作物に実際に使用されているデジタル素材とを自動的に照合する照合手段を含むことを特徴とする。
【００２４】
本発明に係るデジタル素材管理システムは、複数のデジタル素材の中から前記使用されるべきデジタル素材を選択する選択手段を含む態様や、前記選択手段により選択されたデジタル素材を予め登録しておく登録手段、前記照合手段による照合結果を表示する表示手段を含む態様が好ましい。
【００２５】
照合手段と表示手段を一体に構成し、照合手段の機能と表示手段の機能を備えたデジタル素材管理装置を構成してもよい。かかるデジタル素材管理装置は、照合手段を含む装置と表示手段を含む装置（モニタ装置）とをケーブル等により接続する装置構成としてもよい。
【００２６】
また、上記目的を達成するために、本発明に係るワークフロー管理システムは、サーバ装置と、ネットワークを介して前記サーバ装置と接続される端末装置と、を含み、前記端末装置は、デジタル素材が用いられる製作物を製作する際に、使用されるべきデジタル素材と前記製作物に実際に使用されているデジタル素材とを自動的に照合する照合手段を具備することを特徴とする。
【００２７】
ネットワークには、インターネットなどの公衆回線網、構内LANなどの回線形式などの形態が含まれる。また、信号伝送形式は有線形式でもよいし、無線形式でもよい。
【００２８】
本発明の一態様に係るワークフロー管理システムは、前記端末装置に接続され、前記端末装置から送出される指令に応じて印刷を行う印刷装置を備えることを特徴とする。
【００２９】
印刷装置には、オフセット印刷機（印刷原稿に基づき製版が作製され、該製版を用いて印刷を行うもの）やデジタル印刷機（印刷データに基づき版なしで印刷を行うオンデマンド型の印刷機）が含まれる。
【発明の効果】
【００３０】
本発明によれば、デジタル素材がもれなく使用されたことを自動的に確認することができ、効率化及び省力化を図ることが可能となる。
【発明を実施するための最良の形態】
【００３１】
以下、添付図面に従って本発明の好ましい実施の形態について詳説する。
【００３２】
（デジタル素材管理システムの概要）
本例に示すデジタル素材管理システムは、広告やカタログなど多数のデジタル素材を用いた印刷物を製作する際に、当該印刷物に使用するために用意されたデジタル素材が、当該印刷物にすべて配置、使用されたか否かを自動的に検出するものである。
【００３３】
すなわち、自動組版や手動編集による素材レイアウト後に、多数のデジタル素材の中から選択されたデジタル素材の明細（予め登録され、所定のメモリに記憶されたデジタル素材）と、印刷原稿のデータ（印刷原稿に使用されたデジタル素材）が自動的に照合され、その照合結果は一覧表の形式でモニタに表示される。例えば、印刷原稿の中から使用されている画像や画像に付帯するテキスト等のオブジェクトのファイル名を抽出し、デジタル素材のファイル名が記載されたデータ（ファイル名一覧）と抽出された画像等のファイル名を照合して、図１に示すような照合結果の一覧表が作成される。
【００３４】
図１は、不図示のモニタに表示された照合結果の一覧を示す図である。同図には、印刷物１〜３について、商品画像の使用の有無、商品情報（画像の付帯情報）の使用の有無が表示された照合結果一覧が図示されている。
【００３５】
広告やカタログなどの印刷物には、「商品の画像」とともに当該画像が示す商品の「商品名」や「品番」、「価格」などがセットで用いられるので、これらの情報を一括して表示することで、デジタル素材の使用もれや、間違って他のデジタル素材が使用されることを防止できる。
【００３６】
図１に示す照合結果一覧には、商品画像（サムネイル画像）である画像１〜３と、画像１〜３の商品情報として、画像１〜３のそれぞれに対する商品名１〜３、品番１〜３、価格１〜３が表示され、印刷物１〜３に対して商品画像１〜３の使用の有無、商品情報である商品名１〜３、品番１〜３、価格１〜３の使用の有無が表示されている。
【００３７】
図１の照合結果一覧を見ると、印刷物１では、「画像１」及び「商品面１」、「品番１」、「価格１」は使用済みであり、「画像２」及び「商品面２」、「品番２」、「価格２」は未使用、「画像３」は使用済み、「商品面１」、「品番１」、「価格１」は未使用であることが把握できる。
【００３８】
例えば、百貨店やスーパーマーケットの広告を製作する際に、店舗ごとに掲載内容を変える場合に、図１の印刷物１はＡ店のもの、印刷物２はＢ店のもの、印刷物３はＣ店のものとすると、広告ごとの違いを図１の照合結果一覧によりひと目で把握することができ、原稿作成者や校正担当者の手助けとなる。
【００３９】
また、複数ページから構成されるカタログ（カタログ書籍）を製作する場合には、図１の印刷物１〜３をページとすることも可能である。かかる場合に１画面ですべてのページを表示できないときには、スクロール形式の表示や、画面の拡大、縮小を可能にする形式の表示を適用するとよい。
【００４０】
上記の如く構成されたデジタル素材管理システムによれば、使用されるべきデジタル素材が当該印刷物にすべて配置、使用されたか否かを自動的に確認するように構成したので、使用されるべきデジタル素材がもれなく使用されたことを自動的に確認でき、効率化、省力化を図ることが可能となる。
【００４１】
なお、本例に示すデジタル素材管理システムは、ウエブブラウザ機能により閲覧可能なホームページなどのウエブコンテンツを製作する場合にも適用可能である。例えば、画像ファイル等のデジタル素材が格納されているデータベースの中から使用されるデジタル素材を登録しておき、ソースコードに記述されているファイルと、予めデータベースに登録されているデジタル素材のファイル名や素材ファイルに埋め込まれたメタデータと、の一致、不一致を図１に示すような一覧表の形式で表示する。
【００４２】
図２には、上述したデジタル素材管理システム１の概略構成を図示する。同図に示すように、本例に示すデジタル素材管理システム１は、製作される印刷物等に使用されるべきデジタル素材のデータを登録する素材登録部２と、素材登録部２によって登録されたデジタル素材データが格納されている素材管理データベース（デジタル素材記憶手段）３と、製作される印刷物の原稿ファイルを作成する際に、使用するデジタル素材を素材管理データベース３から読み出す素材チェックアウト部４と、原稿ファイルを入稿する原稿入稿部５と、原稿ファイルが入稿されるとともに、素材管理データベース３との間でデジタル素材の使用情報をやりとりするジョブ管理データベース６と、登録されているデジタル素材と使用されたデジタル素材を照合する素材照合部７と、デジタル素材の照合結果を表示する素材照合結果表示部（表示装置、モニタ装置）８と、から構成されている。
【００４３】
図２に示すデジタル素材管理システム１は、原稿が入稿されたタイミングで原稿に使用されているデジタル素材が本来使用されるべきものであるか否かが照合されるとともに、使用されるべきデジタル素材がすべて使用されているか否かが照合される。また、使用するデジタル素材をチェックアウトすることによって、当該デジタル素材が選択されているとみなしている。
【００４４】
チェックアウトとは、素材管理データベース３に登録されているデジタル素材の中から、使用するためのデジタル素材を取得する場合において、該デジタル素材が使用される印刷物の情報を素材管理データベース３に登録する処理である。
【００４５】
なお、図２の素材管理データベース３は、素材登録部２及び素材照合部７などを含んで構成される端末装置（コンピュータ）とネットワークを介して接続される形態を適用してもよいし、該端末装置に内蔵されていてもよい。また、ネットワークを介して素材管理データベース３に接続される他の端末装置により印刷原稿が作成され、該他の端末装置からネットワーク及び外部インターフェースを介して印刷原稿を取得するように構成してもよい。
【００４６】
さらに、上記各部の機能を実現するデジタル素材管理プログラムを構成するとともに、当該デジタル素材管理プログラムをコンピュータ等により実行することで、上記システム及び方法と同様の効果を得ることも可能である。
【００４７】
図３には、上述したデジタル素材管理システムに適用されるデジタル素材管理方法の制御の流れを示すフローチャートである。上記のように、かかるデジタル素材管理方法をプログラムとして構成してもよい。
【００４８】
同図に示すデジタル素材管理方法は、予めデジタル素材を登録する素材登録工程（ステップＳ１００）と、登録されたデジタル素材の中から使用するものを選択するチェックアウト工程（ステップＳ１０２）と、を含み、選択されたデジタル素材を使用して原稿が作成され（ステップＳ１０４）、原稿が入稿されると（ステップＳ１０６）、該原稿に使用されているデジタル素材が登録されているものであるか否かの照合が行われる（ステップＳ１０８）。
【００４９】
照合結果はモニタ等の表示装置に表示され（ステップＳ１１０）、照合結果を確認することができる。さらに、すべてのデジタル素材を使用したか否かが判断され（ステップＳ１１２）、すべてのデジタル素材が使用されていない場合には（ＮＯ判定）、ステップＳ１０２に戻り、使用していないデジタル素材が選択される。
【００５０】
一方、ステップＳ１１２において、すべてのデジタル素材が使用されていると判断されると（ＹＥＳ判定）、プレフライト工程（ステップＳ１１４）、校正工程（ステップＳ１１６）を経て、印刷物の印刷指示が発行される（ステップＳ１１８）。なお、図３に示すプレフライト工程についての詳細は後述する。
【００５１】
（応用例）
次に、本発明に係るデジタル素材管理システム及びデジタル素材管理方法をワークフロー管理システム（印刷支援システム）に応用した実施形態について説明する。
【００５２】
図４は、本応用例に係るワークフロー管理システムの全体構成を示した図である。上述したデジタル素材管理システムは、以下に説明するワークフロー管理システムに含まれる端末装置（例えば、図４の校正用端末装置２０）の一機能として実現される。
【００５３】
＜ワークフロー管理システムの全体構成＞
図４に示すワークフロー管理システム１０は、主として、リモートサーバ装置１２と、複数の印刷処理サーバ装置１４（１４Ａ、１４Ｂ）と、ジョブ作成／管理用端末装置１６と、入稿用端末装置１８と、校正用端末装置２０とから構成される。例えば、リモートサーバ装置１２、印刷処理サーバ装置１４、及びジョブ作成／管理用端末装置１６は印刷会社に配置され、また、入稿用端末装置１８はデザイナーが所属する事務所に、校正用端末装置２０は広告代理店又はクライアント（会社）にそれぞれ配置されるが、もちろん、本例に限定されるものではない。
【００５４】
リモートサーバ装置１２は、本応用例に係るワークフロー管理システムの中核をなす装置であり、インターネット１９を介して入稿用端末装置１８及び校正用端末装置２０に接続されるとともに、ＬＡＮ（或いはＷＡＮ）２１を介して各印刷処理サーバ装置１４Ａ、１４Ｂ及びジョブ作成／管理用端末装置１６に接続されている。
【００５５】
各印刷処理サーバ装置１４Ａ、１４Ｂは、それぞれ１又は複数の印刷機に対応して設けられている。図４に示した例では、印刷処理サーバ装置１４Ａは、オフセット印刷機２２及びデジタル印刷機２４に対応し、印刷処理サーバ装置１４Ｂは、デジタル印刷機２６に対応している。各印刷処理サーバ装置１４Ａ、１４Ｂに印刷ジョブが登録されると、オンライン又はオフラインでそれぞれ対応する印刷機で印刷作業が実施される。なお、各デジタル印刷機２４、２６は、それぞれ印刷処理サーバ装置１４Ａ、１４Ｂとオンライン状態で接続されている。
【００５６】
次に、図５〜図７を参照しながら、各サーバ装置の機能について説明する。
【００５７】
図５は、図４に示したリモートサーバ装置１２の構成を示したブロック図である。図５に示すように、リモートサーバ装置１２は、制御部３０、記憶部３２、及び通信処理部３４から主に構成されている。実際には、リモートサーバ装置１２は、Ｗｅｂサーバやデータベースサーバとして機能するコンピュータに専用のソフトウエアを組み込むことにより実現されるものである。
【００５８】
制御部３０は、ＣＰＵに相当するものであり、記憶部３２に記憶されるアプリケーション（プログラム）を実行するアプリ実行部であり、この制御部３０によって、ジョブ登録機能、ジョブ管理機能、ユーザ管理機能、原稿保存機能、その他各種機能が実現される。
【００５９】
記憶部３２は、外部記憶装置（ハードディスクなど）や一次記憶装置（ＲＡＭなど）に相当し、制御部３０で実行されるアプリケーションや、入稿用端末装置１８から入稿されたＰＤＦ原稿などの各種データ情報が保存される。
【００６０】
通信処理部３４は、インターネット１９を介して入稿用端末装置１８や校正用端末装置２０との通信処理を行うインターフェース部や、ＬＡＮ２１を介して印刷処理サーバ装置１４やジョブ作成／管理用端末装置１６との通信処理を行うインターフェース部である。
【００６１】
本例では、後述するように、ジョブ作成／管理用端末装置１６がサーバ管理機能を備えており、ジョブ作成／管理用端末装置１６からリモートサーバ装置１２の各種設定、管理などが行われる。なお、リモートサーバ装置１２に操作部３６や表示部３８を設け、リモートサーバ装置１２で各種設定、管理などを直接行うようにしてもよい。
【００６２】
図６は、図４に示した印刷処理サーバ装置１４の構成を示したブロック図である。図６に示すように、印刷処理サーバ装置１４は、上述したリモートサーバ装置１２と同様な構成を備えており、制御部４２、記憶部４４、及び通信処理部４６から主に構成されている。実際には、印刷処理サーバ装置１４は、Ｗｅｂサーバやデータベースサーバとして機能するコンピュータに専用のソフトウエアを組み込むことにより実現されるものである。
【００６３】
制御部４２は、ＣＰＵに相当するものであり、記憶部４４に記憶されるアプリケーション（プログラム）を実行するアプリ実行部であり、この制御部４２によって、プレフライト機能、分版ＲＩＰ機能、その他各種機能が実現される。
【００６４】
記憶部４４は、外部記憶装置（ハードディスクなど）や一次記憶装置（ＲＡＭなど）に相当し、制御部４２で実行されるアプリケーションや、リモートサーバ装置１２から送信されたＰＤＦ原稿などの各種データ情報が保存（又は一次保存）される。
【００６５】
通信処理部４６は、ＬＡＮを介して印刷処理サーバ装置１４やジョブ作成／管理用端末装置１６との通信処理を行うインターフェース部や、印刷処理サーバ装置１４に対応して設けられる印刷機との通信処理を行うインターフェース部である。
【００６６】
また、本例では、リモートサーバ装置１２と同様に、ジョブ作成／管理用端末装置１６から印刷処理サーバ装置１４の各種設定、管理などが行われるが、印刷処理サーバ装置１４に操作部４８や表示部５０を設け、印刷処理サーバ装置１４で各種設定、管理などを直接行うようにしてもよい。
【００６７】
図７は、各サーバ装置１２、１４の機能分担を示した図である。
【００６８】
図７に示すように、各サーバ装置１２、１４は、Ｗｅｂサーバ機能を備えている。例えば、各端末装置１６、１８、２０からリモートサーバ装置１２にログインが行われる際、このＷｅｂサーバ機能によって端末装置側にログイン画面が提供される。
【００６９】
リモートサーバ装置１２は、ジョブを登録する機能（ジョブ登録機能）や、ジョブ登録機能によって登録されたジョブの進捗状況を管理する機能（ジョブ管理機能）を備えている。上述したように、ジョブは、１又は複数の作業（タスク）から構成され、１つの印刷物の生産の一連の工程を表すものである。なお、ジョブ作成機能を有する端末装置（ジョブ作成／管理用端末装置１６）で作成されたジョブは、リモートサーバ装置１２の記憶部３２に保存される。
【００７０】
また、リモートサーバ装置１２は、ジョブ毎に印刷物の生産を協力して行う担当者（デザイナー、広告代理店、クライアント、印刷会社など）のアクセス権限を設定、管理する機能（ユーザ管理機能）を備えており、各端末装置１６、１８、２０を操作する担当者は、ユーザ管理機能によって設定されたアクセス権限の範囲内で操作可能となる。
【００７１】
更に、リモートサーバ装置１２は、入稿担当者（例えばデザイナー）から入稿されたＰＤＦ原稿を保存する機能（原稿保存機能）や、後述するように印刷処理サーバ装置１４でプレフライト及び分版ＲＩＰが行われた後に、端末装置側でページ操作を行うためにページサムネイル（縮小ページ）を表示するためにサムネイル及びページＰＤＦを作成する機能（サムネイル作成機能、ページＰＤＦ作成機能）や、端末装置側でページ操作が行われた履歴情報を保存する機能（ページ操作情報保存機能）、その他各種機能（分版画像送信機能、校正情報保存機能、校正入りＰＤＦ作成機能、及びジョブ承認機能）を備えている。原稿送信機能を有する端末装置（入稿用端末装置１８）から入稿された原稿（ＰＤＦ原稿）や、校正機能を有する端末装置（校正用端末装置２０）で校正された校正履歴などは、リモートサーバ装置１２の記憶部３２に保存される。
【００７２】
印刷処理サーバ装置１４は、リモートサーバ装置１２に入稿されたＰＤＦ原稿が、印刷に適したデータであるか否か（例えば、指定されたフォントがこのシステムで使用可能なフォントであるか否かなど）を判定するプリフライト処理を実行する機能（プリフライト機能）や、ＰＤＦ原稿に含まれるＲ（レッド）、Ｇ（グリーン）、Ｂ（ブルー）の画像を、印刷に適したＣ（シアン）、Ｍ（マゼンダ）、Ｙ（イエロー）、Ｋ（ブラック）の画像に分版した状態でビットマップに変換（ラスター変換）する機能（分版ＲＩＰ機能）を備えている。また、印刷処理サーバ装置１４は、対応する印刷機への印刷ジョブを登録する機能（印刷ジョブ登録機能）を備えている。
【００７３】
ここでは、一例として、図７に示した各機能が２つのサーバ装置（リモートサーバ装置１２、印刷処理サーバ装置１４）に機能分担された構成を例示したが、特にこれに限定されず、１つのサーバ装置で全機能を実現するようにしてもよいし、３つ以上のサーバ装置に機能分担させるようにしてもよい。
【００７４】
次に、図８及び図９を参照しながら、各端末装置の機能について説明する。
【００７５】
図８は、図４に示した各端末装置１６、１８、２０の構成を示したブロック図である。なお、図８では、説明の便宜上、各端末装置１６、１８、２０で機能分担されている各機能をまとめて表示している。
【００７６】
図８に示すように、各端末装置１６、１８、２０は、制御部５４、記憶部５６、通信処理部５８、操作部６０、及び表示部６２から主に構成されている。実際には、各端末装置１６、１８、２０は、Ｗｅｂブラウザソフトウエアを組み込んだ汎用パソコンにより実現されるものである。また、図１〜３を用いて説明したデジタル素材管理システム（方法）は、校正用端末装置２０の機能として適用することができる。
【００７７】
制御部５４は、ＣＰＵに相当するものであり、記憶部５６に記憶されるアプリケーション（プログラム）を実行するアプリ実行部であり、この制御部５４によって、ジョブ作成機能、原稿送信機能、ページ操作機能、デジタル素材管理機能（デジタル素材照合機能）、その他各種機能が実現される。
【００７８】
記憶部５６は、外部記憶装置（ハードディスクなど）や一次記憶装置（ＲＡＭなど）に相当し、制御部５４で実行されるアプリケーションやリモートサーバ装置１２に送信するＰＤＦ原稿などが保存される。また、後述するように、リモートサーバ装置１２から送信されるサムネイルＰＤＦなども記憶部５６に保存される。さらに、素材管理データベース（図２の符号３）が保存されている。
【００７９】
記憶部５６に保存されるアプリケーション（端末プログラム）は、例えば、Ｊａｖａ（登録商標）の言語で記述されたプログラムである。この端末プログラムは、各端末装置１６、１８、２０のＷｅｂ閲覧機能を利用して、リモートサーバ装置１２にログインした後、リモートサーバ装置１２からインターネット１９を介して端末装置にダウンロード（インストール）される。また、インターネット１９を介さずに、外部記憶媒体を利用して端末装置に端末プログラムを直接インストールするようにしてもよい。
【００８０】
端末プログラムについては、端末用途毎に異なるプログラムを用いてもよいし、全端末装置で共通のプログラムとしてもよい。前者の場合には、プログラムのバージョンアップ作業を必要最小限の範囲にとどめることができ、ユーザの利便性が向上する。また、後者の場合には、リモートサーバ装置１２で管理されるユーザ情報に応じて、各機能の使用可否を選択的に実施できるようにする態様が好ましく、端末プログラムの共通化によってコストダウンを図ることができる。
【００８１】
通信処理部５８は、インターネット１９又はＬＡＮ２１を介してリモートサーバ装置１２との通信処理を行うインターフェース部である。
【００８２】
操作部６０は、キーボードやマウスなどに相当するものであり、後述する表示部６２の表示画面上で各種ファイル操作、コマンド操作などの操作手段として機能する。
【００８３】
表示部６２は、モニタに相当するものであり、記憶部５６に記憶されるアプリケーションによって提供される各種画面（ＧＵＩ）を表示する手段として機能する。また、図２に図示した素材照合結果表示部８として機能している。
【００８４】
図９は、各端末装置１６、１８、２０の機能分担を示した図である。
【００８５】
図９に示すように、各端末装置１６、１８、２０は、リモートサーバ装置１２によって公開されるＷｅｂページを閲覧する機能を有しており、リモートサーバ装置１２から提供されるログイン画面でログインＩＤ及びパスワードの入力を行うことにより、リモートサーバ装置１２で設定されるアクセス権限の範囲内で各種操作が可能となる。
【００８６】
入稿用端末装置１８は、ＰＤＦ原稿をリモートサーバ装置１２に送信する機能（原稿送信機能）、リモートサーバ装置１２に保存した原稿のページ操作を行う機能（ページ操作機能）、及び校正担当者（広告代理店又はクライアント）による校正結果を確認する機能（校正確認機能）を備えている。
【００８７】
校正用端末装置２０は、リモートサーバ装置１２に入稿されたＰＤＦ原稿を校正する機能（校正機能）、及び校正作業が完了（校了）したことを承認する機能（承認機能）を備えている。校正機能には、分版画像合成機能、検版画像作成機能、校正情報生成機能、及び不図示のデジタル素材管理機能が含まれる。
【００８８】
ジョブ作成／管理用端末装置１６は、ジョブを作成する機能（ジョブ作成機能）、校正担当者（広告代理店又はクライアント）による承認処理が行われた後、リモートサーバ装置１２を介して印刷処理サーバ装置１４に印刷指示を行う機能（印刷指示機能）、及び各サーバ装置１２、１４の各種設定や管理を行う機能（サーバ管理機能）を備えている。なお、ジョブ作成機能は、既にリモートサーバ装置１２に登録されているジョブを変更又はキャンセルしたり、印刷物の生産を協力して行う担当者（デザイナー、広告代理店、クライアント、印刷会社）のアクセス権限を設定又は変更したりする機能を含む。
【００８９】
本例では、図９に示したように、入稿用端末装置１８、校正用端末装置２０、及びジョブ作成／管理用端末装置１６に機能分担させているが、特にこれに限定されるものではなく、端末用途に応じて機能分担を決定すればよい。例えば、入稿用端末装置１８及び校正用端末装置２０の各機能を１つの端末装置（入稿用／校正用端末装置）に統合して実現するようにしてもよい。また、ジョブ作成担当者が印刷会社以外の担当者（例えば広告代理店の担当者など）である場合には、ジョブ作成／管理用端末装置１６の各機能を２つの端末装置（ジョブ作成用端末装置、管理用端末装置）に分割して、ジョブ作成用端末装置はインターネット１９経由でリモートサーバ装置１２に接続するように構成してもよい。
【００９０】
＜ワークフローの説明＞
次に、図１０を参照しながら、ワークフロー管理システム１０による全体的なプロセス（ワークフロー）について説明する。ここでは、一例として、ジョブ作成担当者（印刷会社）がジョブ作成を行い、原稿作成者兼入稿担当者（デザイナー）がＰＤＦ原稿の入稿を行い、校正担当者（広告代理店又はクライアント）が校正を行い、校正作業が完了（校了）するまで再入稿、校正が繰り返され、校正担当者（広告代理店又はクライアント）による承認が行われた後、印刷指示担当者（印刷会社）が印刷指示を行うものとする。
【００９１】
〔原稿作成工程〕
まず、印雑物を依頼したクライアントや製作会社の素材作成部門（商品撮影部門）によりデジタル素材が作成される。作成されたデジタル素材は、図３を用いて説明したデジタル素材の登録工程（ステップＳ１００）により登録される。
【００９２】
印刷原稿を作成する際には、登録されたデジタル素材が適宜チェックアウトされる（ステップＳ１０２）。チェックアウトされたデジタル素材は選択されたものとみなされる。
【００９３】
〔ジョブ作成工程〕
次に、ジョブ作成担当者（印刷会社）は、ジョブ作成／管理用端末装置１６からリモートサーバ装置１２にログインした後、ジョブ作成／管理用端末装置１６のジョブ作成機能を利用して、依頼を受けた印刷物の作製に関するジョブを作成する（ステップＳ１０）。上述したように、ジョブは、１又は複数の作業（タスク）から構成され、１つの印刷物の生産の一連の工程を表すものである。このとき、印刷物の生産を協力して行う担当者（デザイナー、広告代理店、クライアント、印刷会社）の指定（アクセス権限の設定）もあわせて行う。このようにして、ジョブ作成／管理用端末装置１６でジョブが作成されると、その結果はリモートサーバ装置１２に通知され、リモートサーバ装置１２でジョブ登録が行われる（ステップＳ１２）。また、これと同時に、各担当者のアクセス権限も設定される。図示は省略したが、リモートサーバ装置１２にジョブ登録が行われたとき、登録されたジョブに関連する担当者全員（又はそのうちの一部）に電子メールなどでジョブが登録されたことを通知するようにしてもよい。
【００９４】
〔入稿工程〕
次に、印刷物の原稿（ＰＤＦ原稿）の作成が完了すると、入稿担当者（デザイナー）は、入稿用端末装置１８の表示部６２に表示されるログイン画面１００（図１１）で自分のログインＩＤ及びパスワードを入力して、リモートサーバ装置１２にログインする。ログイン後、入稿用端末装置１８にはジョブ一覧画面１０２Ａ（図１２）が表示され、リモートサーバ装置１２に登録されているジョブが一覧表示される。
【００９５】
このとき、ログイン中の入稿担当者にアクセス権限が割り当てられているジョブのみを表示する態様が好ましい。入稿担当者が、操作部６０のマウス操作によって、一覧表示されたジョブの中からＰＤＦ原稿のアップロード対象となるジョブを選択して、アップロードボタン１０４を押すと、入稿用端末装置１８の表示部６２にはアップロード画面１０６Ａ（図１３）が表示される。入稿担当者は、アップロード画面１０６Ａに一覧表示されるファイル一覧の中からリモートサーバ装置１２に送信する１又は複数のファイル（ＰＤＦ原稿）を選択し、ファイル選択ボタン１０８を押すと、下段の送信ファイルリストウインドウ１１０に選択されたファイルが表示される。
【００９６】
本例では、３つのＰＤＦ原稿（ファイル名「a001.pdf」、「a002.pdf」、「a003.pdf」）が送信ファイルリストウインドウ１１０に表示されている。なお、各ＰＤＦ原稿は、それぞれ１又は複数のページから構成される。その後、入稿担当者が、追加アップロードボタン１１２を押すと、入稿用端末装置１８からリモートサーバ装置１２へのＰＤＦ原稿のアップロード（送信）が開始される（図１０のステップＳ１４）。
【００９７】
このように本実施形態では、１又は複数のＰＤＦ原稿を選択してリモートサーバ装置１２にアップロード可能（入稿可能）であるため、全ての原稿ファイル（１又は複数のＰＤＦ原稿）を一括入稿することもできるし、一部の原稿ファイルを部分的に入稿することができる。したがって、再入稿する場合には、修正ページのみからなるＰＤＦ原稿を選択して部分入稿することもできる。
【００９８】
ＰＤＦ原稿のアップロードが完了すると、入稿用端末装置１８の表示部６２にはジョブ一覧画面１０２Ｂ（図１４）が表示される。ここでは、初回入稿時には、全ての原稿ファイル（ＰＤＦ原稿）が一括入稿されたものとする（即ち、入稿率１００％）。
【００９９】
リモートサーバ装置１２は、入稿用端末装置１８からアップロードされたＰＤＦ原稿を記憶部３２に保存するとともに、そのＰＤＦ原稿を印刷処理サーバ装置１４に送信する（図１０のステップＳ１６）。
【０１００】
印刷処理サーバ装置１４は、上述したプレフライト機能及び分版ＲＩＰ機能によって、リモートサーバ装置１２から送信されたＰＤＦ原稿のプレフライト処理及び分版ＲＩＰを行う（ステップＳ１８）。これにより、入稿されたＰＤＦ原稿が、印刷に適したデータであるか否か（例えば、指定されたフォントがこのシステムで使用可能なフォントであるか否かなど）判定されるとともに、ＰＤＦ原稿に含まれるＲ（レッド）、Ｇ（グリーン）、Ｂ（ブルー）の画像を、印刷に適したＣ（シアン）、Ｍ（マゼンダ）、Ｙ（イエロー）、Ｋ（ブラック）の画像に分版した状態でビットマップに変換（ラスター変換）される。そして、印刷処理サーバ装置１４からリモートサーバ装置１２に対して、プリフライト結果を示すレポート（プリフライトレポート）が通知されるとともに、ページ分版画像が送信される。
【０１０１】
リモートサーバ装置１２は、印刷処理サーバ装置１４からプレフライトレポート及びページ分版画像を受信すると、入稿用端末装置１８に送信完了通知を行う。このとき、プレフライトレポートもあわせて通知される。
【０１０２】
また、リモートサーバ装置１２は、印刷処理サーバ装置１４から受信したページ分版画像を基にして、ＰＤＦ原稿の各ページのＰＤＦ（ページＰＤＦ）を作成し、記憶部３２にページＰＤＦを保存するとともに、ページＰＤＦのサムネイル（ページサムネイル）を作成して、入稿用端末装置１８にページサムネイルを送信する（ステップＳ２０）。リモートサーバ装置１２から入稿用端末装置１８に送信されたページサムネイルは、入稿用端末装置１８の記憶部５６に保存（又は一次保存）され、後述するように入稿用端末装置１８の表示部６２の所定のウインドウ内に一覧表示される。
【０１０３】
ところで、入稿用端末装置１８は、リモートサーバ装置１２から通知されたプレフライトレポートにエラー又は警告が存在する場合には、ジョブ一覧画面１０２Ｂ（図１４）の上部に「プリフライトエラーがあります。ジョブ詳細から確認してください。」というエラーメッセージ１１４が表示される。このとき、入稿担当者が、操作部６０のマウス操作によって、ジョブ詳細表示ボタン１１６を押すと、ジョブ詳細画面１１８（図１５）が表示される。ここでは、一例として、ジョブ詳細画面１１８には、入稿されたＰＤＦ原稿に対するプレフライト処理の結果として、エラー３件と警告１０件が表示されている。更に、ジョブ詳細画面１１８の詳細確認ボタン１２０を押すと、プレフライトレポート画面１２２（図１６）が表示され、入稿担当者は、より詳細なエラー情報を確認することができる。
【０１０４】
ＰＤＦ原稿の修正後、入稿担当者は、入稿用端末装置１８からリモートサーバ装置１２に再びログインを行い、入稿用端末装置１８の表示部６２にはジョブ一覧画面１０２Ｃ（図１７）が表示される。入稿担当者は、操作部６０のマウス操作によって、一覧表示されたジョブの中からＰＤＦ原稿のアップロード対象となるジョブを選択し、アップロードボタン１０４を押すと、入稿用端末装置１８の表示部６２にはアップロード画面１０６Ｂ（図１８）が表示される。
【０１０５】
そして、アップロード画面１０６Ｂに一覧表示されるファイル一覧の中から修正ページのみからなるＰＤＦ原稿（以下、「修正ＰＤＦ原稿」という。）を選択し、ファイル選択ボタン１０８を押すと、下段の送信ファイルリストウインドウ１１０に選択されたファイルが表示される。本例では、修正ＰＤＦ原稿（ファイル名「b001.pdf」）が選択され、送信ファイルリストウインドウ１１０に表示されている。その後、入稿担当者が、書き換えアップロードボタン１２６を押すと、入稿用端末装置１８からリモートサーバ装置１２への修正ＰＤＦ原稿のアップロード（送信）が開始される。
【０１０６】
修正ＰＤＦ原稿のアップロードが完了すると、初回入稿時と同様に、印刷処理サーバ装置１４によって、修正ＰＤＦ原稿に対するプリフライト処理及び分版ＲＩＰが行われる。そして、入稿用端末装置１８の表示部６２にはジョブ一覧画面１０２Ｄ（図１９）が表示される。ここでは、プリフライト処理の結果、修正ＰＤＦ原稿には、エラー及び警告が存在しなかったものとする（即ち、図１９では、図１４に示したエラーメッセージ１１４は表示されていない。）。
【０１０７】
続いて、入稿担当者が、操作部６０のマウス操作によって、ジョブ一覧画面１０２Ｄのページ一覧ボタン１２４を押すと、ページ一覧画面１２８Ａ（図２０）が表示される。ページ一覧画面１２８Ａには、「現在のページ構成一覧」タブ１３０、及び「ページ操作」タブ１３２が含まれており、図２０では「現在のページ構成一覧」タブ１３０が開かれている状態を表している。このとき、ページ一覧画面１２８Ｂの上部には、「未割り当てのページがあります。［ページ操作］タブを選択して編集してください。」という警告メッセージ１３４が表示される。初回入稿時には、印刷物の各ページに対して、入稿された原稿（ＰＤＦ原稿）の各ページは自動的にページ割り当てが行われるのに対し、再入稿時には、入稿された修正ＰＤＦ原稿の各ページ（修正ページ）は自動的に割り当てられず、上記のような警告メッセージ１３４が表示される。
【０１０８】
このような状態において、入稿担当者が、操作部６０のマウス操作によって、「ページ操作」タブ１３２を開くと、図２１に示すページ一覧画面１２８Ｂに切り替わり、ページ操作可能な状態となる。このとき、ページ一覧画面１２８Ｂの上段の「未割り当てページ一覧」ウインドウ１３６には、再入稿された修正ＰＤＦ原稿の各ページが一覧表示され、下段の「割り当て済みページ済み一覧」ウインドウ１３８には、既にページ割り当てが完了しているＰＤＦ原稿の各ページが一覧表示される。
【０１０９】
このとき、入稿担当者が、操作部６０のマウスの操作によって、例えば、「未割り当てページ一覧」ウインドウ１３６に表示されている修正ページＰBをドラッグした状態で、「割り当て済みページ済み一覧」ウインドウ１３８に表示されているページＰ2に重なるように移動してドロップすると、ページＰ2が修正ページＰBに置き換えられる。また、修正ページＰBをドラッグした状態で、「割り当て済みページ済み一覧」ウインドウ１３８に表示されている隣接するページＰ3、Ｐ4間に移動してドロップすると、隣接するページＰ3、Ｐ4間に修正ページＰBを挿入される。なお、「割り当て済みページ済み一覧」ウインドウ１３８に割り当てられた修正ページＰBは、「未割り当てページ一覧」から削除される。
【０１１０】
このように、「未割り当てページ一覧」ウインドウ１３６に表示されている各ページ（再入稿された原稿の各ページ）を、「割り当て済みページ済み一覧」ウインドウ１３８に表示されているページと置き換えるか、又は「割り当て済みページ済み一覧」ウインドウ１３８に表示されているページ間に挿入することによって、再入稿された原稿の各ページに対するページ割り当てが行われる。
【０１１１】
また、「割り当て済みページ済み一覧」ウインドウ１３８に表示されている各ページは、操作部６０のマウス操作によって、ページ位置変更やページ削除が可能であり、ページの並び順を自由に変更することができる。なお、説明は省略するが、初回入稿時でも、ページ一覧画面から「ページ操作」タブ１３２を開くことにより、同様なページ編集を行うことができる。
【０１１２】
「未割り当てページ一覧」ウインドウ１３６に表示されている全ページのページ割り当てが完了し、入稿担当者が保存ボタン１４０を押すと、リモートサーバ装置１２は、ページ操作情報を記憶部４４に保存するとともに、校正用端末装置２０に校正準備完了通知を行う。このとき、図２２に示すように、ページ一覧画面１２８Ｃは、「現在のページ 構成一覧」タブ１３０に切り替わり、「未割り当てのページの編集が完了しました。」というメッセージ１４２が表示される。
【０１１３】
なお、「割り当て済みページ済み一覧」ウインドウ１３８に表示されているページを、「未割り当てページ一覧」ウインドウ１３６に表示されているページ（再入稿された原稿のページ）に置き換えた場合、置き換え前の古いページは完全に削除されるのではなく、リモートサーバ装置１２の記憶部３２に保存されており、リモートサーバ装置１２のページ操作情報保存機能によってページの履歴管理が行われている。このため、ページの置き換えが行われた後でも、元の状態に復元することが可能である。
【０１１４】
このようにして、入稿担当者が入稿用端末装置１８でページ操作を行い（図１０のステップＳ２２）、それが完了すると、リモートサーバ装置１２は、ページ操作情報を記憶部４４に保存するとともに、校正用端末装置２０に校正準備完了通知を行う（ステップＳ２４）。
【０１１５】
〔校正工程〕
校正用端末装置２０は、リモートサーバ装置１２から校正準備完了通知を受信すると、校正担当者（広告代理店又はクライアント）による校正が可能な状態となる。このとき、リモートサーバ装置１２は、ページ分版画像を校正用端末装置２０に送信し（ステップＳ２６）、校正用端末装置２０は、リモートサーバ装置１２から受信したページ分版画像を記憶部３２に保存（又は一次保存）するとともに、校正担当者の端末操作に応じて、ページ分版画像合成や検版画像作成を行う（ステップＳ２８）。また、図示は省略するが、校正担当者の端末操作に応じて、使用するデジタル素材として登録されたものがすべて使用されているか否かの照合が行われる。
【０１１６】
次に、校正担当者は、校正用端末装置２０の表示部６２に表示されるログイン画面２００（図２３）で自分のログインＩＤ及びパスワードを入力して、リモートサーバ装置１２にログインする。ログイン後、校正用端末装置２０にはジョブ一覧画面２０２（図２４）が表示され、リモートサーバ装置１２に登録されているジョブが一覧表示される。このとき、ログイン中の校正担当者にアクセス権限が割り当てられているジョブのみを表示する態様が好ましい。校正担当者が、操作部６０のマウス操作によって、一覧表示されたジョブの中から校正対象のジョブを選択し、ジョブ一覧表示ボタン２０４を押すと、校正用端末装置２０の表示部６２にはページ一覧画面２０６Ａ（図２５）が表示される。
【０１１７】
そして、校正担当者が、操作部６０のマウス操作によって、ページ一覧画面２０６Ａに表示されたページ一覧の中から校正対象ページを選択して、校正ツールボタン２１２を押すと、図２６に示すような校正ツール画面２１４が表示される。これにより、校正担当者は、図形／文字ツール群２１６を利用して、ページ表示ウインドウ２１８に表示された校正対象ページの校正を行うことができる（図１０のステップＳ３０）。図２６では、一例として、校正担当者によって、画像の差し替えなどの注釈が校正対象ページ上に付加された状態が示されている。
【０１１８】
このようにして校正が終了した後、校正担当者が終了ボタン２２０を押すと、校正用端末装置２０の表示部６２には、図２７に示すページ一覧画面２０６Ｂが表示される。校正担当者は、校正対象ページの校正結果がＯＫである場合には、校正ＯＫボタン２２２を押し、ＮＧである場合には、校正ＮＧボタン２２４を押す。ここでは、校正者Ｂによる校正が行われ、校正対象ページの校正結果がＮＧであることを表している。
【０１１９】
また、図示しない「素材照合」ボタンを押すと、図１に示す「照合結果一覧」が表示され、校正担当者は表示された「照合結果一覧」を見て、登録されているデジタル素材がすべて使用されているか否かをひと目で把握することが可能である。
【０１２０】
その後、校正用端末装置２０は、校正者によって行われた校正情報を生成し、リモートサーバ装置１２に送信する（図１０のステップＳ３２）。そして、リモートサーバ装置１２は、校正用端末装置２０から受信した校正情報を記憶部３２に保存し（ステップＳ３４）、入稿用端末装置１８に対して校正完了通知を行う。これと同時に、リモートサーバ装置１２は、校正入りＰＤＦを作成し、入稿用端末装置１８に送信を行う（ステップＳ３６）。
【０１２１】
なお、上述したデジタル素材管理システムは、原稿作成や原稿修正を行う端末装置（図４の入稿用端末装置１８）に適用してもよい。原稿作成後、入稿前に当該デジタル素材管理システムを用いることで、入稿前の検査効率の向上及び省力化が見込まれる。
【０１２２】
また、図２のデジタル素材データベース２を図４のリモートサーバ装置１２や、ネットワーク接続される他のサーバ装置が管理する記憶媒体に記憶し、ネットワークを介して使用するデジタル素材の登録を行うように構成する態様も可能である。
【０１２３】
〔校正確認工程〜承認工程〕
入稿担当者は、リモートサーバ装置１２から受信した校正入りＰＤＦを表示画面に表示して校正内容を確認する（ステップＳ３８）。そして、入稿担当者は、その校正内容に従ってＰＤＦ原稿の修正を行い、入稿用端末装置１８から再入稿を行う。
【０１２４】
続いて、校正担当者が、校正用端末装置２０からリモートサーバ装置１２に再びログインすると、校正用端末装置２０の表示部６２にはジョブ一覧画面３００Ａ（図２８）が表示される。校正担当者は、操作部６０のマウス操作によって、一覧表示されたジョブの中から校正対象のジョブを選択し、ページ一覧表示ボタン３０２を押すと、ページ一覧画面３０４Ａ（図２９）が表示される。更に、ページ一覧画面３０４Ａに表示されたページの中から校正対象ページを選択し、校正ツールボタン３１０を押すと、校正ツール画面３１２Ａ（図３０）が表示される。
【０１２５】
そして、校正ツール画面３１２Ａの上部に表示されるプルダウンメニュー３１４の中から「過去版と比較」を選択すると、図３１に示すように、校正ツール画面３１２Ｂのページ表示ウインドウ３１８には、最新版ページ（左側のページ）と過去版ページ（右側のページ）が横に並んで表示される。更に、この状態において、「差分を表示」ボタン３１６を押すと、図３２に示すように、最新版ページと過去版ページの差分が視覚的に理解しやすいように表示される。ここでは、最新版ページ上で、過去版ページからの変更部分のみが常時表示され、未変更部分は一定間隔で点滅表示される。もちろん、差分表示方法はこれに限定されず、変更部分を枠で囲んだり、変更部分に注釈を付加したりしてもよい。
【０１２６】
これにより、校正担当者は、指示どおり原稿修正が行われたか否か容易に確認することができる。その後、校正担当者が終了ボタン３２０を押すと、校正用端末装置２０の表示部６２にはページ一覧画面３０４Ｂ（図３３）が表示される。そして、校正結果がＯＫである場合には、校正ＯＫボタン３２２を押す。このとき、原稿の全ページの校正が完了している場合には、図３３に示すように、「すべてのページの校正が完了しています。」というメッセージ３２４が表示される。このようにして、原稿の全ページの校正が完了するまで再入稿、校正が繰り返され、全ページの校正が完了（校了）すると（ステップＳ４０）、その結果は、リモートサーバ装置１２に通知され、リモートサーバ装置１２にジョブ承認が登録される（ステップＳ４２）。
【０１２７】
〔印刷指示工程〕
印刷指示担当者（印刷会社）が、ジョブ作成／管理用端末装置１６からリモートサーバ装置１２にログインすると、ジョブ作成／管理用端末装置１６の表示部６２にはジョブ一覧画面３３０（図３４）が表示される。そして、ジョブ一覧画面３３０に一覧表示されたジョブの中から印刷指示を行うジョブを選択し、印刷指示ボタン３３２を押すと、ジョブ作成／管理用端末装置１６からリモートサーバ装置１２に印刷指示が行われ（ステップＳ４４）、更に、リモートサーバ装置１２は、印刷ジョブを作成して、印刷処理サーバ装置１４に送信する（ステップＳ４６）。例えば、この印刷ジョブは、ＪＤＦ対応のＰＤＦ／Ｘに準拠したファイル形式で作成され、印刷処理サーバ装置１４に提供される。印刷処理サーバ装置１４は、リモートサーバ装置１２から印刷ジョブを受信すると、当該印刷ジョブを登録する（ステップＳ４８）。
【０１２８】
このようにして、印刷処理サーバ装置１４に対応して設けられる印刷機の印刷準備が完了し、登録された印刷ジョブに従って各印刷機で印刷作業が実施される。図４で説明した各印刷機２４、２６はＪＤＦに対応した機器であり、印刷処理サーバ装置１４から受け取ったＪＤＦの記述に従い、出力までの自動処理を行うことができる。
【０１２９】
このように本実施形態に係るワークフロー管理システムは、印刷会社にとってみれば、上流工程で完全なデータが入稿されるようになるので自動処理が可能となるとともに、各ジョブの進捗状況を容易に把握することができる。また、印刷指示を電子発行することができる。
【０１３０】
また、校正担当者（広告代理店やクライアントなど）にとってみれば、校正指示をすぐにできるとともに、校正履歴を確認することができ、また、原稿作成者（デザイナーなど）による編集内容をすぐに確認できる。また、承認結果を証拠として残せるメリットもある。
【０１３１】
特に、本実施形態によれば、印刷物の一部のページを部分的に入稿できるとともに、新たに入稿された原稿の各ページを、既にページ割り当て済みの原稿のページと置き換え、又はページ間に挿入することによって、ページ割り当てを行うことができる。このため、再入稿が必要な場合でも、全ページを入稿せずに、修正ページのみを入稿することができ、入稿後にページの並び順を編集することができる。また、複数の原稿作成者によって印刷物の原稿が作成される場合、各自の担当ページを作成した後、他のページの完成を待たずに入稿することができる。したがって、ページ並び編集を一元的に管理することができ、入稿の作業効率が高まり、迅速な入稿が可能となる。なお、ページの置き換えが行われた場合、古いページはシステムから完全に削除されるのではなく、ページの履歴管理によって復元することができる。
【０１３２】
また、本実施形態においては、上述した部分入稿を実現するにあたって、印刷物の原稿をページ毎の版管理（バージョン管理）することによって、印刷物の版管理を行っている。即ち、図３５に示すように、ページ毎に版数が管理されている。各ページの最新版数は、必ずしも同一である必要はなく、異なっていてもよい。図３５では、一例として、各ページの最新版数は、１ページ及び２ページが２版であり、３ページが１版であり、４ページが３版である。なお、各ページの最新版数だけでなく、古い版数のページもページ毎にシステム（リモートサーバ装置１２の記憶部３２）に保存されている。そして、図３６に示すように、印刷物の版管理は、印刷物を構成するページの版の組み合わせ情報として保持される。図３６では、一例として、印刷物の初版（１版）は、１ページ（１版）及び２ページ（１版）のみから構成され、その後、ページ毎に部分入稿が行われ、各ページの版数がページ毎に随時更新され、印刷物の５版では、１ページ及び２ページはそれぞれ２版であり、３ページは１版であり、４ページは３版である。
【０１３３】
このようにページ毎の版管理（バージョン管理）に基づいて印刷物の版管理を行うことにより、上述した部分入稿をより効果的に実現することができる。この結果、原稿の一部のページのみを部分的に修正が必要な場合でも、原稿の全ページを新たに入稿せずに、修正したページのみを部分入稿することができ、入稿作業の迅速化、効率化を図ることが可能となる。また、校正工程おいて、使用すべきでデジタル素材（登録されているデジタル素材）がすべて印刷原稿にしようされているか否かを自動的に検出、確認を行うように校正したので、校正担当者の作業効率の向上及び省力化に寄与する。
【０１３４】
以上、本発明のデジタル素材管理方法及びシステム並びにワークフロー管理システムついて詳細に説明したが、本発明は、以上の例には限定されず、本発明の要旨を逸脱しない範囲において、各種の改良や変形を行ってもよいのはもちろんである。
【図面の簡単な説明】
【０１３５】
【図１】本発明の実施形態に係るデジタル素材管理システムの照合結果を示す図
【図２】本発明の実施形態に係るデジタル素材管理システムの全体構成を示すブロック図
【図３】本発明の実施形態に係るデジタル素材管理方法の制御の流れを示すフローチャート
【図４】図２に示すデジタル素材管理システムが適用されるワークフロー管理システムの全体構成を示した図
【図５】リモートサーバ装置の構成を示したブロック図
【図６】印刷処理サーバ装置の構成を示したブロック図
【図７】各サーバ装置の機能分担を示した図
【図８】各端末装置の構成を示したブロック図
【図９】各端末装置の機能分担を示した図
【図１０】ワークフロー管理システムによる全体的なプロセスを示した図
【図１１】入稿用端末装置のログイン画面を示した図
【図１２】入稿用端末装置のジョブ一覧画面を示した図
【図１３】入稿用端末装置のアップロード画面を示した図
【図１４】入稿用端末装置のジョブ一覧画面を示した図
【図１５】入稿用端末装置のジョブ詳細画面を示した図
【図１６】入稿用端末装置のプレフライトレポート画面を示した図
【図１７】入稿用端末装置のジョブ一覧画面を示した図
【図１８】入稿用端末装置のアップロード画面を示した図
【図１９】入稿用端末装置のジョブ一覧画面を示した図
【図２０】入稿用端末装置のページ一覧画面を示した図
【図２１】入稿用端末装置のページ一覧画面を示した図
【図２２】入稿用端末装置のページ一覧画面を示した図
【図２３】校正用端末装置のログイン画面を示した図
【図２４】校正用端末装置のジョブ一覧画面を示した図
【図２５】校正用端末装置のページ一覧画面を示した図
【図２６】校正用端末装置の校正ツール画面を示した図
【図２７】校正用端末装置のページ一覧画面を示した図
【図２８】校正用端末装置のジョブ一覧画面を示した図
【図２９】校正用端末装置のページ一覧画面を示した図
【図３０】校正用端末装置の校正ツール画面を示した図
【図３１】校正用端末装置の校正ツール画面を示した図
【図３２】校正用端末装置の校正ツール画面を示した図
【図３３】校正用端末装置のページ一覧画面を示した図
【図３４】ジョブ作成／管理用端末装置のジョブ一覧画面を示した図
【図３５】ページ毎の版管理の一例を示した図
【図３６】各ページの版を組み合わせた印刷物の版管理を示した図
【符号の説明】
【０１３６】
１…デジタル素材管理システム、２…素材登録部、３…素材管理データベース、４…素材チェックアウト部、５…原稿入稿部、６…ジョブ管理データベース、７…素材照合部、８…素材照合結果表示部、１０…ワークフロー管理システム、２０…校正用端末装置、３０…制御部、３２…記憶部、３４…通信処理部、４２…制御部、４４…記憶部、４６…通信処理部
【図１】
2010157069.tif 000003
【図２】
2010157069.tif 000004
【図３】
2010157069.tif 000005
【図４】
2010157069.tif 000006
【図５】
2010157069.tif 000007
【図６】
2010157069.tif 000008
【図７】
2010157069.tif 000009
【図８】
2010157069.tif 000010
【図９】
2010157069.tif 000011
【図１０】
2010157069.tif 000012
【図１１】
2010157069.tif 000013
【図１２】
2010157069.tif 000014
【図１３】
2010157069.tif 000015
【図１４】
2010157069.tif 000016
【図１５】
2010157069.tif 000017
【図１６】
2010157069.tif 000018
【図１７】
2010157069.tif 000019
【図１８】
2010157069.tif 000020
【図１９】
2010157069.tif 000021
【図２０】
2010157069.tif 000022
【図２１】
2010157069.tif 000023
【図２２】
2010157069.tif 000024
【図２３】
2010157069.tif 000025
【図２４】
2010157069.tif 000026
【図２５】
2010157069.tif 000027
【図２６】
2010157069.tif 000028
【図２７】
2010157069.tif 000029
【図２８】
2010157069.tif 000030
【図２９】
2010157069.tif 000031
【図３０】
2010157069.tif 000032
【図３１】
2010157069.tif 000033
【図３２】
2010157069.tif 000034
【図３３】
2010157069.tif 000035
【図３４】
2010157069.tif 000036
【図３５】
2010157069.tif 000037
【図３６】
2010157069.tif 000038